(57)【特許請求の範囲】
【請求項１】
少なくとも壁が壁パネルから構成され、かつ、該壁パネルが該壁パネルの外周部を構成する枠体と、該枠体の少なくとも一面に貼設された面板とからなり、左右二枚の壁パネルの接合部において上記枠体と屋根面を支持する芯材が接合される建築物を設計するための設計支援装置であって、
建築物の壁が設置される位置を示すとともに、壁パネルの割り付け範囲を示し、かつ、基準単位長さ毎に縦横に引かれたグリッド線に沿って配置された壁線の配置を記憶した壁線記憶手段と、
上記壁線上に配置される窓、通路、出入口等の開口部の位置と形状とを記憶した開口部記憶手段と、
上記壁線記憶手段に記憶された壁線のうちの住宅の外周となる外壁の角部を検出する外壁角部検出手段と、
上記壁線記憶手段に記憶された壁線のうちの住宅の外周となる外壁と、上記壁線のうちの住宅内部の壁となる内壁との交点を認識する外壁交点検出手段と、
上記外壁角部検出手段に検出された外壁の角部と、上記外壁交点検出手段に検出された外壁と内壁との交点とにおいて壁線を分割し、上記角部及び交点上に左右の壁パネルの接合部が配置されるようにする壁線分割手段と、
上記開口部記憶手段に記憶された壁線上の開口部の左右側縁の外側にある壁線と直交するグリッド線上において、上記開口部を有する壁線を分割し、この分割位置上に左右の壁パネルの接合部が配置されるようにする開口部分割手段と、
上記角部及び交点と上記開口部分割手段による分割位置とを屋根面を支持する芯材と壁パネルとの固定位置とする固定位置設定手段とを具備してなり、
前記固定位置設定手段により固定位置を設定した後に、固定位置で左右の壁パネルが接合されるように壁パネルを割り付けるとともに、前記固定位置に屋根面を支持する芯材が配置されるように屋根パネルを割り付けることを特徴とする設計支援装置。
【発明の詳細な説明】
【０００１】
【産業上の利用分野】
本発明は、壁が壁パネルから構成される住宅を設計するための設計支援装置に関する。
【０００２】
【従来の技術】
近年、住宅の設計においても設計支援装置としてのＣＡＤ（ｃｏｍｐｕｔｅｒ  ａｉｄｅｄ  ｄｅｓｉｇｎ）  システムが用いられるようになった。
従来の住宅設計用のＣＡＤ  システムにおいては、オペレータの指示のもとに、住宅の設計をアシストすることができ、住宅の設計の省力化を図ることができた。特に、設計された住宅を様々な図面として出力することができ、図面の製作等において、大きく省力化を図ることができた。
【０００３】
【発明が解決しようとする課題】
ところで、住宅の設計においては、住宅の強度を保つために柱や梁や耐力壁等の躯体の強度を設計時に確保する必要があり、これら躯体の強度や配置を設定する必要がある。
また、住宅には、例えば、床、壁、屋根等が床パネルや壁パネルや屋根パネル等のパネルから構成されるパネル工法によって構築されるものがある。
【０００４】
上記パネル工法においては、柱や梁があまり用いられずに、主に上記各パネルにより住宅の強度を保つようになっている。
従って、上記パネル工法からなる住宅を設計する際には、住宅の強度を保つように壁等の配置を決める必要があるとともに、配置された壁に壁パネルを割り付けていく必要がある。
【０００５】
しかし、従来の一般的な住宅用のＣＡＤ  システムは、必ずしもパネル工法に対応したものではなく、上記ＣＡＤ  システム上において、パネルの割り付けを可能としても、単に、設計された壁に所定の形状の壁パネルを割り付けただけでは、所定の強度を有する壁パネルの組み合わせから得られる最も高い強度を得られるとは限らなかった。
【０００６】
また、単に、壁に所定の形状の壁パネルを割り付けただけでは、施工性の面で問題がでる可能性があり、最悪の場合には、建築現場で壁パネルの割り付けを変更しなければ、実際に施工できない可能性もある。
【０００７】
例えば、単に壁が設置される部分に壁パネルを割り付け、屋根が設置される部分に屋根パネルを割り付けた場合には、以下のような問題が生じる場合がある。
図１４は、屋根パネル１ａからなる屋根１と壁パネル２ａからなる外壁２の接合部を示すものである。
【０００８】
図１４に示すように屋根パネル１ａ同士（図１４において一枚の屋根パネル１ａの一部を図示）を互いに接合して形成される屋根１と、壁パネル２ａ、２ａ同士（図１４においては２枚の壁パネル２ａの一部を図示）を互いに接合して形成される外壁とは、強風等により屋根が浮き上がるのを防止するために、フック金物３により接合されている。
【０００９】
上記フック金物３は、図１４に示すようにＵ字状のものであり、その中央部が屋根パネル１ａの芯材１ｂを押さえた状態で、その両端部が壁パネル２ａ、２ａに接合されるようになっている。
また、フック金物３は、その両端部が細板状の接合片３ａ、３ａとされ、該接合片３ａ、３ａには、釘やビス等で接合片３ａ、３ａを木材に固定するための穿孔３ｂ…が二つずつ設けられている。
【００１０】
なお、屋根１と壁２とは、必ずしも、上記フック金物３のみによって接合されるものではない。
また、符号１ｃは屋根パネル１ａの上記芯材１ｂに直交する芯材であり、符号２ｂは壁パネル２ａの枠体となる縦の芯材であり、符号２ｃは壁パネル２ａの枠体となる横の芯材であり、符号２ｄは壁パネル２ａの面材であり、符号４は壁２上面を屋根１の傾斜に対応した斜面とするための結合桁であり、符号５は外壁に直角に接合された内壁である。
【００１１】
ところで、壁パネル２ａは、基本的に矩形状の枠体（縦の芯材２ｂと横の芯材２ｃとにより形成されている）と、該枠体の両面に貼設された面材２ｄとから箱状に形成されたものである。また、壁パネル２ａ内部には、必要により縦横の芯材（図示略）が配置されている。
【００１２】
従って、フック金物３の縦長の接合片３ａ、３ａを強固に壁２に接合するためには、上記接合片３ａ、３ａを上記壁パネル２ａの縦の芯材２ｂの部分に接合する必要がある。
また、フック金物３が、Ｕ字状に形成され、フック金物３の接合片３ａ、３ａが隙間をあけて左右に配置されるようになっているので、フック金物３が接合される部分においては、上記縦の芯材２ｂ，２ｂが少なくとも二本隣接して配置されている必要がある。
【００１３】
従って、外壁においてフック金物３が接合できるのは、左右の壁パネル２ａ、２ａが接合さることにより上記枠体（芯材２ｂ）同士が隣接して配置されることになる左右の壁パネル２ａ、２ａの接合部６となる。
【００１４】
また、上述のようにフック金物３は、屋根パネル１ａの芯材１ｂに掛けられるようになっているので、壁パネル２ａ、２ａの接合部６の位置と屋根パネル１ａの芯材１ｂの位置が対応している必要がある。
しかし、形状の決まった壁２に壁パネル２ａを割り付け、形状の決まった屋根１に屋根パネル１ａを割り付けた場合には、壁１と屋根２とで整合性をとることができず、実際の屋根１の施工ができないといった事態を招いてしまう可能性がある。
【００１５】
本発明は、上記事情に鑑みてなされたものであり、パネル工法により構築される住宅を設計するに際し、壁に壁パネルを割り付けるとともに屋根に屋根パネルを割り付ける前に、壁パネルを割り付けるべき壁の領域を壁パネル及び屋根パネルの割り付けに最適な状態となるように設定することができる設計支援装置を提供することを目的とするものである。
【００１６】
【課題を解決するための手段】
本発明の上記請求項１記載の設計支援装置は、少なくとも壁が壁パネルから構成され、かつ、該壁パネルが該壁パネルの外周部を構成する枠体と、該枠体の少なくとも一面に貼設された面板とからなり、左右二枚の壁パネルの接合部において上記枠体と屋根面を支持する芯材が接合される建築物を設計するための設計支援装置であって、
建築物の壁が設置される位置を示すとともに、壁パネルの割り付け範囲を示し、かつ、基準単位長さ毎に縦横に引かれたグリッド線に沿って配置された壁線の配置を記憶した壁線記憶手段ａと、
上記壁線上に配置される窓、通路、出入口等の開口部の位置と形状とを記憶した開口部記憶手段ｆと、
上記壁線記憶手段ａに記憶された壁線のうちの住宅の外周となる外壁の角部を検出する外壁角部検出手段ｂと、
上記壁線記憶手段ａに記憶された壁線のうちの住宅の外周となる外壁と、上記壁線のうちの住宅内部の壁となる内壁との交点を認識する外壁交点検出手段ｃと、
上記外壁角部検出手段ｂに検出された外壁の角部と、上記外壁交点検出手段ｃに検出された外壁と内壁との交点とにおいて壁線を分割し、上記角部及び交点上に左右の壁パネルの接合部が配置されるようにする壁線分割手段ｄと、
上記開口部記憶手段ｆに記憶された壁線上の開口部の左右側縁の外側にある壁線と直交するグリッド線上において、上記開口部を有する壁線を分割し、この分割位置上に左右の壁パネルの接合部が配置されるようにする開口部分割手段ｇと、
上記角部及び交点と上記開口部分割手段による分割位置とを屋根面を支持する芯材と壁パネルとの固定位置とする固定位置設定手段ｅとを具備してなり、
前記固定位置設定手段ｅにより固定位置を設定した後に、固定位置で左右の壁パネルが接合されるように壁パネルを割り付けるとともに、前記固定位置に屋根面を支持する芯材が配置されるように屋根パネルを割り付けることを上記課題の解決手段とした。
【００２０】
【作用】
上記請求項１記載の構成によれば、外壁角部検出手段ｂが、上記壁線記憶手段ａに記憶された壁線の配置から外壁の角部を検出する。
また、外壁交点検出手段ｃが、上記壁線記憶手段ａに記憶された壁線の配置から外壁と内壁との交点を検出する。
【００２１】
そして、壁線分割手段ｄが、上記角部及び交点において、壁パネルの割り付け範囲を示す壁線を分割することにより、壁パネルの側縁が上記角部及び交点に配置され、該角部及び交点において、左右の壁パネルが接合されることになる。
なお、角部においては、Ｌ字状の壁パネルを使用しない限りは、必然的に壁パネル同士の接合部が配置されることになる。
【００２２】
また、外壁と内壁とが接合する交点においては、内壁の壁パネルの側縁を外壁に強固に接合するために、内壁の側縁が外壁を構成する壁パネル同士の接合部、すなわち、確実に芯材がある位置に接合されることが好ましいので、上述のように、交点において、外壁の壁線を分割し、該交点において壁パネル同士の接合部（すなわち、２つの壁パネルの枠体を構成する２本の芯材）が配置されるようにする必要がある。
【００２３】
そして、該交点及び角部においては、以上のように壁線を分割することにより、壁パネルの枠体を構成する２本の芯材が隣接して配置されることになるので、上記フック金物を接続することが可能な位置となる。
そこで、固定位置設定手段ｅが、上記交点と角部とを屋根面を支持する芯材と壁パネルとの固定位置に指定することにより、屋根側において、屋根面を支持する芯材が、少なくとも上記固定位置に配置されるように屋根の部材を割り付け、かつ、壁側において、上記分割された壁線の範囲に従って壁パネルを配置するようにすれば、屋根と壁とで構造の整合性をとることができる。
【００２４】
すなわち、上述のように、壁パネルを壁線上に割り付ける前でも、左右の壁パネルが接合される必要がある位置を、上記外壁角部検出手段ｂ及び外壁交点検出手段ｃにより検出することができる。また、これら検出手段ｂ，ｃにより検出された角部及び交点において、上記壁線分割手段ｄにより、壁パネルの割り付け範囲を示す壁線を分割することで、壁パネルの割り付け前に壁パネルの接合部が上記角部及び交点に配置されることを確定することができる。
【００２５】
さらに、上記固定位置設置手段ｅにより、上記角部及び交点を固定位置とすることで、屋根への部材の割り付けに際し、上記屋根面を支持する芯材が配置されなければならない位置を決定することができる。
従って、屋根と壁とへの部材の割り付けを別々に行っても、屋根と壁との整合性をとることが可能となり、上記設計支援装置に従って設計された住宅の施工において、現場で調整しなければ壁と屋根とを接合できなくなるような事態を防止することができる。
【００２６】
また、上記構成によれば、基本的にグリッド線に沿って配置された壁線上においての作業となり、全ての壁線がグリッド線上に配置されていれば、上記角部及び交点もグリッド線上に配置されることになる。また、グリッド線上の角部及び交点を固定位置とすることにより、屋根の構造もグリッド線に従ったものとすれば、容易に屋根面を支持する上記芯材を固定位置に配置することができる。
【００２７】
また、上記構成によれば、開口部記憶手段ｆに記憶された開口部位置と形状とに従って、開口部分割手段ｇが、上記開口部の左右側縁の外側にある壁線と直交するグリッド線上において、上記開口部を有する壁線を分割して、この分割位置上に左右の壁パネルの接合部が配置されるようにする。そして、上記固定位置設置手段ｅは、上記分割位置も上記固定位置として設定する。
【００２８】
すなわち、開口部においては、基本的に、開口部を囲むように壁パネルが配置されることになり、かつ、開口部上の壁パネル（以下、小壁パネルと称する）は、その左右側縁を左右の壁パネルに接合することにより支持されて上部構造物の荷重を支持するようになっており、開口部の左右には、壁パネルの接合部が必要となる。
そこで、開口部分割手段ｇにより、上記壁パネルの接合部の位置を限定することにより、上記交点及び角部と同様に上記分割位置をフック金物の設置位置となる固定位置として利用することができる。
【００２９】
また、上記分割位置を壁線と直交するグリッド線上に配置することにより、開口部の上下左右に配置される壁パネルの幅をできるだけグリッド線に対応したものとすることができるとともに、分割位置を固定位置とした場合に、固定位置がグリッド線上に配置され、上記請求項２に記載したように屋根の上記芯材を固定位置に合わせやすくすることができる。
【００３０】
すなわち、開口部においても、壁パネルを割り付ける前に、壁パネル同士の接合部を上述のように予め設定することができ、壁パネルを割り付ける前に、壁パネルの接合部を設定して、上記固定位置とすることができる。なお、屋根への部材の割り付けに際し、上記屋根面を支持する芯材が屋根芯材割付手段ｈにより少なくもと上記固定位置設定手段ｅに設定された固定位置に配置されることが好ましい。
また、上記「課題を解決するための手段」及び「作用」の欄においては、図１の符号を参照して説明したが、本発明が図１によって限定されるものではない。
【００３１】
【実施例】
以下に、本発明の一実施例を、図面を参照して説明する。
なお、この実施例の設計支援装置は、床、壁、屋根等がパネルから構築される住宅の設計に用いられるものである。
また、上記パネルは、基本的に、木製の芯材を矩形枠状に組んで、枠体を形成し、該枠体の少なくとも一面に面材を貼設したものである。
【００３２】
また、上記設計支援装置は、住宅の間取りや各種建具や各種仕上部材等の配置（住宅の意匠）を入力するための意匠入力機能と、上記意匠において、床、壁、屋根等にパネルを配置するとともに、その他の躯体となる部材や該部材及び上記パネルに付随する部材を配置し、かつ、住宅の必要強度をチェックする構造決定機能と、上記意匠入力及び構造決定において割り付けられた部材に基づいて、設計される住宅の見積りを求める積算機能とを有するものである。
【００３３】
さらに、上記設計支援装置は、上記意匠入力機能により決められた壁の配置に従って、上記構造決定機能により壁に壁パネルを割り付けるとともに、屋根に屋根パネルを割り付けるに際して、予め、屋根パネルからなる屋根と壁パネルからなる壁とを上記発明が解決しようとする課題で説明したフック金物３（発明が解決しようとする課題で説明した図１４に図示）で固定する固定位置を設定し、該固定位置に対応して壁パネル及び屋根パネルの割り付けを行えるようになっている。
【００３４】
そして、図２に示すように、本実施例の設計支援装置は、ＣＡＤ  システムとしていわゆる一般的なコンピュータシステムとしてのシステム構成を有するものであり、図示しないＣＰＵ（ｃｅｎｔｒａｌ  ｐｒｏｃｅｓｓｉｎｇ  ｕｎｉｔ）、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）等から構成される演算処理装置（コンピュータ本体）１１と、ハードディスクドライブ等からなる記憶装置１２と、キーボード及びマウス、タブレット、デジタイザーなどのポインティングデバイスからなる入力装置１３と、ＣＲＴディスプレイ等のディスプレイからなる表示装置１４と、プリンタやプロッター等からなるハードコピーの出力装置１５とを有するものである。
【００３５】
上記記憶装置１２には、設計支援装置で用いられる各種プログラムや、該プログラムで用いられる各種データが記憶されている。
上記各種プログラムは、基本的に、周知のＣＡＤ  システムとしてのものであり、設計支援装置上での住宅の設計を行うためのものである。
また、上記各種データとしては、上記設計支援装置上での住宅の設計に際して、住宅に割り付けられる各種部材のデータであり、例えば、各種部材の形状や、価格等の様々なデータが記憶されている。
【００３６】
また、記憶装置１２には、上記意匠、構造、積算等の各段階において行われた設計の操作により生じた設計のデータが記憶されている。
さらに、この実施例においては、上記意匠機能において、間取りを決定するに際して、設計すべき住宅の部屋の領域（居間、食堂、台所、トイレ、バス、居室、収納、その他基本的に壁で囲まれる領域が含まれる）が入力されるとともに、上記部屋の外周線が壁線２０（図３に図示）とされ、また、壁線２０上には、窓、出入口等の開口部（図示略）が配置され、該開口部の配置及び形状を含む壁線２０の配置が設計データファイル２ａとして記憶されている。
【００３７】
なお、図３は壁線２０の配置の一例を示すものである。
また、壁線２０は、設計データファイルにおいて、外壁と内壁とに分類されている。上記外壁は、基本的に、住宅の外周部分に配置される壁の位置を示すものである。そして、上記外壁以外の壁線２０は、内壁の壁線２０である。
【００３８】
また、上記設計データファイル１２ａに記憶された上記壁線２０の配置においては、図４に示す壁線２０のＬ字状、Ｔ字状、十字状の交点２０ａ…で、壁線２０が分割されている。また、上記壁線２０は、上述のように壁の配置を示すとともに、壁パネル２１、２４の割り付け範囲を示すものであり、上記壁線２０の分割された部分の端点には、壁パネル２１、２４（図６に図示）の側縁が配置されるようになっている。
【００３９】
また、各Ｌ字状、Ｔ字状及び十字状の交点２０ａにおいては、壁パネル２１、２４が接合される部分の取り合いを決定する必要がある。そして、外壁の場合は、角部となるＬ字状の交点ａにおいて、勝ち負けを決定しておく必要があるが、角部で接合される二つの壁パネル２１、２１のどちらを勝ちとしても良い。
【００４０】
なお、図５に示すように、角部における外壁の壁パネル２１同士の接合部は、勝ちの壁パネル２１ａが壁線２０（図３に図示）のＬ字状の交点２０ａ（図３に図示）まで配置され、負けの壁パネル２１ｂが壁の厚みの半分の長さだけ後退した位置に配置される。
【００４１】
また、この状態では、負けの壁パネル２１ｂの側縁の芯材２２の半分が勝ちの壁パネル２１ａの側縁の芯材２２に接合された状態となるので、角部に調整部材２３を配置することにより、壁パネル２１同士を強固に接合できるようになっている。
従って、角部においては、壁のどちら側の側面からも上記フック金物３が接続できるようになっている。
【００４２】
また、外壁の内面に内壁が直角に接合される外壁のＴ字状の交点２０ａにおいては、図６に示すように、内壁の壁パネル２４を負けとし、外壁の壁パネル２１、２１同士は、そのまま突き合わせた状態とする。
なお、これらの壁線２０の配置においては、１ｍ前後の基準単位長さ（以下、１Ｍ（モジュール）と称する）の１／４の長さ毎に縦横に引かれたグリッド線２５（図４に図示）上に各壁線２０を配置するようになっている。
また、これら壁線２０上に配置される壁パネル２１、２４は、上述の接合部での勝ち負けがある場合を除いて、基本的に、上記１Ｍの１／４長さの整数倍の幅を有するものとされている。
【００４３】
なお、例外的に、壁線２０がグリッド線２５上に配置されない場合もあり、また、壁パネル２１、２４や壁パネル２１、２４に代わる部材として、水平方向の長さが上記１／４Ｍの整数倍とならない部材が用いられる場合もある。
また、上述のように１Ｍの１／４が基本的に最低単位として扱われるので（例外的に１／８を最低単位とする場合もある）、実質的には、１Ｍの１／４が基準単位長さとなる。
【００４４】
また、上記壁線２０の配置は、壁の中心線の配置を示すものであるが、上記設計データファイル１２ａ内においては、図３に示す壁線２０の配置とともに、上記壁線２０が示す壁の配置を、壁の厚みと高さを有する壁領域２６の形状及び配置として記憶している。
なお、図７は、壁領域２６の配置の平面図を示すものである。
また、上記開口部も、図８に示すように、上記壁領域２６内に配置される開口領域２７として記憶されている。
また、図７に示す仮想線は、１／４Ｍ毎に縦横に設定された上記のグリッド線２５である。
【００４５】
上記演算処理装置１１は、周知のＣＡＤ  システムとしての機能を有するとともに、この実施例においては、上記設計データファイル１２ａに記憶された壁線２０の配置のうちの外壁上のＬ字状の交点２０ａ及びＴ字状の交点２０ａを認識する機能を有する。
【００４６】
また、演算処理装置１１は、上記壁線２０の配置を設計データファイル１２ａに記憶させるに際し、予め上述のように各交点２０ａにおいて壁線２０を分割しておく機能を有する。
また、演算処理装置１１は、上記壁線２０の配置を設計データファイル１２ａに記憶させるに際し、さらに、上記壁線２０の配置の分割位置においては、予め壁パネル２１、２４端部の取り合いの勝ち負けが上述のように設定されている。
【００４７】
次に、以上のような構成の設計支援装置において、屋根と壁とを上記フック金物３で固定する位置を示す固定位置３２を設定する方法を説明する。
まず、上記設計データファイル１２ａにおいては、上述のように意匠入力機能により入力された間取り等のデータに従って、図３に示すような壁線２０の配置が記憶される。
【００４８】
また、壁線２０の配置においては、図４に示すように上述のようにＬ字状、Ｔ字状、十字状の交点２０ａが演算処理装置１１により認識されるとともに、該交点２０ａにおいて壁線２０が分割される。
そして、各壁線２０の端部が接する位置においては、上述のよう壁パネル２１、２４側縁の取り合いの勝ち負けが設定される。
【００４９】
次に、外壁の開口部の周囲における左右の壁パネル２１、２１同士（小壁パネル（図示略）を含む）の固定位置３２を決めるために、以下のような開口部を示す開口領域２７（図８に図示）周囲の壁領域分割を行う。
【００５０】
すなわち、図８に示すように壁線２０上に外壁の上部を規制する上階の床もしくは屋根までの壁領域２６を設定し、次いで、壁線２０上に設定された開口部を上記壁領域２６内の開口領域２７とする。
そして、開口領域２７の左右に開口調整領域２９、２９を仮設定する。上記開口調整領域２９、２９は、開口領域２７上に配置される小壁パネルの左右両端部を支持する支持部材が配置される領域である。
【００５１】
次に、上記開口調整領域２９の開口領域２７と反対側の側縁を開口領域２７の反対方向に移動し、上記開口調整領域２９の上記側縁が上記壁領域２８に直交するグリッド線２５と一致するようにする。
そして、上記側縁が上記グリッド線２５に合わせられた開口調整領域２９、２９を確定する。
【００５２】
次に、開口領域２７の上に、該開口領域２７と左右の開口調整領域２９、２９とを合わせた幅を有し、かつ、開口領域２７上に配置される小壁パネル（図示略）の割り付け位置を示す小壁領域３０を設定する。
次に、開口領域２７の下に、上記開口領域２７と左右の開口調整領域２９、２９とを合わせた幅を有し、かつ、開口領域２７下に配置される壁パネル（以下、腰壁パネルと称する）の割り付け位置を示す腰壁領域３１を設定する。
【００５３】
以上のように開口領域２７の周囲に上述のような領域を設定した場合には、小壁領域３０に割り付けられた小壁パネルと、該小壁パネルの左右に配置される壁パネルとが必ず接合されることになる。従って、小壁領域３０の左右の側縁は、壁パネル２１、２１（一方は小壁パネル）同士の接合位置３２ａとなる。
【００５４】
そして、上述のように開口領域２７周囲の分割領域が設定された段階で、以下の固定位置３２の設定を行う。
なお、固定位置３２の設定にあたっては、図１０に示すフローチャートを参照する。
まず、上記設計データファイル１２ａから例えば図３に示す壁線２０の配置もしくは図７に示す壁領域２６の配置のデータを呼び込む（ステップＳ１）。
なお、壁領域２６の配置は、壁線２０の配置に壁としての形状を付加したものであり、基本的には、同様のデータである。
ここでは、図７に示す壁領域２６の配置のデータを呼び込むものとする。
次に、上記壁領域２６の配置から図１１に示すように外壁のＬ字状の交点２０ａを認識する（ステップＳ２）。
【００５５】
次に、上記壁線２０の配置から図１２に示すように外壁と内壁とのＴ字状の交点２０ａを認識する（ステップＳ３）。
次に、上記壁領域２６上の開口領域２７において、上述のように設定された小壁領域３０の左右の側縁の壁パネル２１と小壁パネルの接合位置３２ａを図８及び図１３に示すように認識する（ステップＳ４）。
【００５６】
次に、上記Ｌ字状の交点２０ａ及びＴ字状の交点２０ａ及び接合位置３２ａの各々がグリッド線２５上に配置されているかどうかを判定する。
そして、グリッド線２５上に配置された上記Ｌ字状の交点２０ａ…及びＴ字状の交点２０ａ…及び壁パネル２１と小壁パネルとの接合位置３２ａ…を固定位置３２…とし、これを設計データファイル１２ａに登録する（ステップＳ５）。
【００５７】
上記固定位置３２…においては、上記交点２０ａのように壁線２０が分割されているか、壁領域が小壁領域とその周囲の領域とに分割されている。
そして、壁パネル２１等の割り付けに際しては、上記交点において壁線２０が分割されていることにより、上記交点２０ａにおいては、それぞれ壁線２０の端部に配置された壁パネル同士が接合されることになる。
【００５８】
また、上記小壁領域３０左右の接合位置３２ａにおいては、小壁領域３０にそのまま小壁パネルが割り付けられることから、小壁パネルの左右側縁と、小壁パネルの左右に配置された壁パネル２１とが接合されることになる。
また、屋根への屋根パネルの割り付けに際しては、上記固定位置３２に屋根パネルの芯材が配置されるように、屋根パネルを配置する。
【００５９】
具体的には、屋根に割り付けるべき屋根パネルのうちのグリッド線２５に沿って配置した場合に、必ず、グリッド線２５上に屋根パネルの芯材が配置されるように基準単位長さ毎に芯材が配置された屋根パネルを他のパネルに先駆けて割り付け、その他の部分を後から割り付ける。
【００６０】
また、上記固定位置３２の設定処理においては、固定位置３２の数や間隔等については、特にコントロールしていないが、柱ではなく、壁によって支持されるこの実施例の住宅においては、住宅の強度上の問題から所定の間隔内に壁を配置する必要があり、住宅の大きさに応じて外壁と内壁との交点が生じるようになっており、壁の配置の段階で、固定位置３２となる外壁と内壁との交点が上記所定の間隔以内に確保できるようになっている。
さらに、住宅においては、必ず、窓やドア等の開口部が形成されるので、上記固定位置３２となる接合位置３２ａが生じることになり、壁と屋根とを固定するのに充分な数と間隔で、固定位置３２を設定することができる。
【００６１】
以上のように、この実施例の設計支援装置においては、外壁の領域に壁パネル２１を割り付け、屋根の領域に屋根パネルを割り付ける前に、外壁の領域（壁領域もしくは壁線）において、左右の壁パネル２１同士の接合部が配置される位置を設定することにより、上述のようにフック金物３により屋根と壁とを接合する固定位置３２を決めている。
【００６２】
従って、上記固定位置３２に従って、壁の領域に壁パネル２１を割り付け、屋根の領域に屋根パネルを割り付ければ、実際に壁上に屋根を固定する際に、屋根面を支持する屋根パネルの芯材と、壁パネルの芯材が隣接して配置されることになる壁パネル同士の接合位置とが上記固定位置３２で対応することになり、壁パネルや屋根パネルの割り付け上の問題により屋根の施工ができなくなるような事態を防止することができる。
【００６３】
また、壁パネル２１が割り付けられる前の壁領域２６における固定位置３２の設定に当たっては、壁線の配置と開口部の形状及び配置とから壁パネル２１同士の接合部が配置されることが必要な位置を割り出し、壁パネル２１の割り付けにおいて、必ず壁パネル２１、２１同士の接合部が配置される部分を固定位置３２としているので、特に上記固定位置３２を考慮して壁パネルの割り付けを行わなくとも、固定位置３２上に壁パネル同士の接合部が割り付けられるようになっている。
【００６４】
従って、固定位置３２に対応してパネルを割り付ける必要があるのは、屋根だけであり、壁への壁パネルの割り付け処理を煩雑にすることなく、屋根をフック金物３により壁に固定できるように壁に壁パネルを割り付けることができる。
【００６５】
なお、本発明は、設計支援装置により、壁に壁パネルを割り付け、屋根に屋根の部材を割り付けた際に、芯材が隣接して配置される左右の壁パネル同士の接合部の位置と、屋根面を支持する芯材との位置とが一致する部分が充分になく、上記フック金物３のように壁側の２本隣接する芯材と屋根面を支持する芯材とを接合する接合部材により接合が困難となり、実際に壁に屋根を充分な強度で固定することが困難になるのを防止するためのものであり、設計順等は、適宜変更することが可能である。
【００６６】
例えば、交点２０ａにおける壁線２０の分割は、壁パネル２１、２４の割り付けの前であればいつ行っても良い。
また、上記Ｌ字状の交点２０ａ、上記Ｔ字状の交点２０ａ、上記小壁領域の左右の接合位置３２ａの認識の順番も特に限定されるものではない。
また、フック金物３の形状も特に限定されるものではなく、上述のように壁側の隣接する二本の芯材と屋根面を支持する芯材とを接合できるものならば良い。
【００６７】
また、上記Ｌ字状の交点２０ａ及び上記Ｔ字状の交点２０ａの数が、屋根と壁とのフック金物３による固定に充分な数を有するならば、必ずしも小壁領域３０の左右の接合位置３２ａを固定位置３２に指定する必要はない。
また、屋根は、屋根パネルにより構成されるものとしても、屋根パネル以外の部材により構成されるものとしても良く、屋根面を支持する芯材を有する構成ならば良い。
【００６８】
【発明の効果】
上記請求項１記載の設計支援装置によれば、壁パネルを壁線上に配置する前においても、左右の壁パネルが接合される必要がある位置を、上記外壁角部検出手段及び外壁交点検出手段により検出することができる。
また、これら検出手段により検出された角部及び交点において、上記壁線分割手段により、壁パネルの割り付け範囲を示す壁線を分割することで、壁パネルの割り付け前に壁パネル同士の接合部が上記角部及び交点に配置されることを確定することができる。
【００６９】
さらに、上記固定位置設置手段により、上記角部及び交点を固定位置とすることで、屋根への部材の割り付けに際し、上記屋根面を支持する芯材が配置されなければならない位置を決定することができる。
従って、屋根と壁とへの部材の割り付けを別々に行っても、屋根と壁との整合性をとることが可能となり、上記設計支援装置に従って設計された住宅の施工において、現場で調整しなければ壁と屋根とを接合できなくなるような事態を防止することができる。
【００７０】
また、上記固定位置は、壁側において屋根の固定を考慮しなくとも左右の壁パネル同士の接合部が配置される必要がある位置であり、上記固定位置を設定しても壁への壁パネルの割り付けや施工を煩雑なものとすることなく、壁と屋根との固定位置を確保することができる。
【００７１】
また、上記設計支援装置によれば、基本的にグリッド線に沿って配置された壁線上においての作業となり、全ての壁線がグリッド線上に配置されていれば、上記角部及び交点もグリッド線上に配置されることになる。また、グリッド線上の角部及び交点を固定位置とすることにより、屋根の構造もグリッド線に従ったものとすれば、容易に屋根面を支持する上記芯材を固定位置に配置することができる。
【００７２】
また、上記設計支援装置によれば、開口部においては、基本的に、開口部を囲むように壁パネルが配置されることになり、かつ、開口部上の壁パネルは、その左右側縁を左右の壁パネルに接合することにより支持されて上部構造物の荷重を支持するようになっており、開口部の左右には、壁パネルの接合部が必要となる。そこで、開口部分割手段により、上記壁パネルの接合部の位置を限定することにより、上記交点及び角部と同様に上記分割位置をフック金物の設置位置となる固定位置として利用することができる。
【００７３】
また、上記分割位置を壁線と直交するグリッド線上に配置することにより、開口部の上下左右に配置される壁パネルの幅をできるだけグリッド線に対応したものとすることができるとともに、分割位置を固定位置とした場合に、固定位置がグリッド線上に配置され、上記請求項２に記載したように屋根の上記芯材を固定位置に合わせやすくすることができる。
【００７４】
すなわち、開口部においても、壁パネルを割り付ける前に、壁パネル同士の接合部を上述のように予め設定することができ、壁パネルを割り付ける前に、壁パネルの接合部を設定して、上記固定位置とすることができる。
また、屋根への部材の割り付けに際し、上記屋根面を支持する芯材が少なくもと上記固定位置設定手段に設定された固定位置に配置されることにより、壁と屋根とにおいて、壁と屋根とを固定する位置を確定することができる。
【図面の簡単な説明】
【図１】本発明の設計支援装置を説明するためのブロック図である。
【図２】本発明の一実施例の設計支援装置を説明するためのブロック図である。
【図３】上記実施例の設計支援装置により設定された壁線の配置を説明するための図面である。
【図４】上記設計支援装置により設定された壁線の配置及び壁線の交点を説明するための図面である。
【図５】上記設計支援装置により設計される外壁の角部を示す断面図である。
【図６】上記設計支援装置により設計される外壁と内壁の交点を示す断面図である。
【図７】上記設計支援装置により設定された壁領域を説明するための平面図である。
【図８】上記設計支援装置により分割される壁領域の開口領域周囲を示す壁領域の正面図である。
【図９】上記設計支援装置により設定される固定位置を説明するための壁領域の平面図である。
【図１０】上記設計支援装置における固定位置の設定方法を説明するためのフローチャートである。
【図１１】上記設計支援装置により認識される外壁の角部を説明するための壁領域の平面図である。
【図１２】上記設計支援装置により認識される外壁と内壁との交点を説明するための壁領域の平面図である。
【図１３】上記設計支援装置による認識される接合位置を説明するための壁領域の平面図である。
【図１４】外壁と屋根との接合方法を説明するための屋根要部の斜視図である。
【符号の説明】
１１        演算処理装置（外壁角部検出手段ｂ、外壁交点検出手段ｃ、壁線分割手段ｄ、固定位置設定手段ｅ、開口部分割手段ｇ、屋根芯材割付手段ｈ）
１２        記憶装置（壁線記憶手段ａ、開口部記憶手段ｆ）
１２ａ      設計データファイル
２０        壁線
２０ａ      交点（角部、交点）
２１        壁パネル
２４        壁パネル
２５        グリッド線
３２        固定位置
【図１】
0003622793.tif 000002
【図２】
0003622793.tif 000003
【図３】
0003622793.tif 000004
【図４】
0003622793.tif 000005
【図５】
0003622793.tif 000006
【図６】
0003622793.tif 000007
【図７】
0003622793.tif 000008
【図８】
0003622793.tif 000009
【図９】
0003622793.tif 000010
【図１０】
0003622793.tif 000011
【図１１】
0003622793.tif 000012
【図１２】
0003622793.tif 000013
【図１３】
0003622793.tif 000014
【図１４】
0003622793.tif 000015